(57)【特許請求の範囲】
【請求項１】
一定距離を置いて対向する側面部材を備え、前記各側面部材の外周縁に形成された環状嵌合溝内に、撓曲可能なフィルタ面部材のうちその幅方向で対向した両端縁の全長箇所を摺動可能且つ密状に嵌合させると共に、このように嵌合されたフィルタ面部材のうちその長手方向で対向した両端縁に、前記側面部材の半径方向外側へ突出された一対のフランジ部を設け、各フランジ部は前記半径方向及び前記幅方向に沿った第１面部と、前記外周縁及び前記幅方向に沿った第２面部とを具備し、各フランジ部の第１面部同士の間と、第２面部同士の間との双方にパッキンが密状に介在された状態で前記一対のフランジ部に跨るようにクリップ部材が外嵌された構成を特徴とするドラムフィルタ装置。
【請求項２】
前記各側面部材の環状嵌合溝の半径方向外側の壁面部の周方向箇所は、部分的に脱着可能であって、前記脱着箇所が前記側面部材から離脱された状態では、前記フィルタ面部材が前記環状嵌合溝の周方向へ向かう開口が露出することを特徴とする請求項１記載のドラムフィルタ装置。
【請求項３】
前記フィルタ面部材のうちその幅方向で対向した両端縁の略全長箇所に前記環状嵌合溝の内面に圧接される弾性突起片を設けたことを特徴とする請求項１、又は２記載のドラムフィルタ装置。
【請求項４】
請求項２記載のドラムフィルタ装置におけるフィルタ面部材を交換するさい、前記部分的に着脱可能な周方向箇所を取り外した状態とし、既に前記環状嵌合溝内に嵌合されている使用済みのフィルタ面部材の何れか一方のフランジ部と、次に使用されるフィルタ面部材のフランジ部のうち前記一方のフランジ部と雌雄の関係をなす１つのフランジ部とを、前記クリップ部材を介して正対状に結合させ、その後、前記使用済みのフィルタ面部材を前記環状嵌合溝内から前記長手方向に沿って引き出すことを特徴とするドラムフィルタ装置におけるフィルタ面部材の交換方法。
【請求項５】
請求項２記載のドラムフィルタ装置におけるフィルタ面部材を交換するさい、前記部分的に着脱可能な周方向箇所を取り外した状態とし、前記各側面部材の環状嵌合溝内に嵌合されている使用済みのフィルタ面部材を前記長手方向へ引き出した後、次に使用されるフィルタ面部材のうちその幅方向上で対向した両端縁を、その対応する前記環状嵌合溝内に滑り込ませるように嵌合させることを特徴とするドラムフィルタ装置におけるフィルタ面部材の交換方法。
【発明の詳細な説明】
【技術分野】
【０００１】
本発明は、金属切削加工のさいに生成される切粉と潤滑剤としてのクーラントとの混濁液を濾過して浄化クーラントを抽出するドラムフィルタ装置、及び、これに使用されるフィルタ面部材、並びに該フィルタ面部材の交換方法に関する。
【背景技術】
【０００２】
特許文献１のドラムフィルタ装置は、濾過分別取出装置の濾過要部として使用されるものであり、該濾過分別取出装置は金属切削加工などで生成された切粉などの固形物と、潤滑及び冷却剤としてのクーラントなどである液状物とからなる混濁液が連続的に投入されることにより、該懸濁液をドラムフィルタ装置により効率的に浄化液状物と固形物に分離させて、それぞれを別な場所へ連続的に取り出すように機能するものである。
【０００３】
さらに具体的に説明すると、ドラムフィルタ装置は懸濁液の投入される懸濁液貯留槽内にその外周壁面部の中心線が水平となるように且つ該中心線回りの回転駆動可能なように設置されると共に、懸濁液貯留槽の内方と前記外周壁面部の内方空間とがフィルタ面部材でのみ液通過可能なように区分され、ドラムフィルタ装置の外周壁面部の下部に存在したフィルタ面部材が懸濁液中に浸され、フィルタ面部材を透過した浄化液状物が前記外周壁面部の内方へ経て浄化液槽内に流入する。フィルタ面部材を透過しない固形物は懸濁液貯留槽内に堆積し、他のコンベア手段により外方へ搬出される。
【特許文献１】特許第２９０４３３４号公報
【発明の開示】
【発明が解決しようとする課題】
【０００４】
特許文献１に開示された従来のドラムフィルタ装置にあっては、外周壁面部に透孔を形成して、これにフィルタ面部材を固定する構成となされているため、該装置の外周面部の面積に対するフィルタ面部材の有効濾過面積の割合が一定程度以下に制限されて濾過処理の効率化が抑制されると共に、フィルタ面部材を装着するための構造が複雑化し、フィルタ面部材の脱着に容易でない。
【０００５】
本発明は、例えば金属切削加工などのさいに生成される切粉と、潤滑剤及び又は冷却剤としてのクーラントとの混濁液から切粉の除去された浄化クーラントを抽出する場合などにおいて、上記した種々の問題点を解消させることを目的としている。
【課題を解決するための手段】
【０００６】
上記課題を解決するために、本発明に係るドラムフィルタ装置は、一定距離を置いて対向する側面部材を備え、前記側面部材の外周縁に形成された環状嵌合溝内に、撓曲可能な一枚のフィルタ面部材のうちその幅方向で対向した両端縁の全長箇所を摺動可能且つ密状に嵌合させると共に、前記フィルタ面部材のうちその長手方向で対向した両端縁を間隔調整部材を介して密状に結合させたことを特徴とするものである。
【０００７】
この発明によれば、側面部材の外周縁の略全周箇所間にフィルタ面部材が装着されるようになるため、ドラムフィルタ装置の外周面部の面積に対するフィルタ面部材の有効濾過面積の割合が従来よりも大きくなり、濾過処理効率が向上するものとなる。
また側面部材の外周縁長さやフィルタ面部材の長手方向寸法の製作誤差やフィルタ面部材の長期使用による伸縮変形による寸法誤差が生じたときにも、間隔調整部材の厚さ方向寸法を大小に変化させることにより、フィルタ面部材の幅方向で対向した両端縁は側面部材の環状嵌合溝に正確に適合した密状に嵌合されるのであり、この結果、側面部材上におけるフィルタ面部材のシール性が確保され、予定された濾過性能が確保される。
【０００８】
本発明に係るドラムフィルタ装置に使用されるフィルタ面部材は、一定の間隔を置いて対抗する側面部材の各外周縁の全長箇所間に巻きつけられるものであって、幅方向で対向した両端縁の全長箇所が前記一対の側面部材の外周縁に形成された環状嵌合溝内に摺動可能且つ密状にかつ幅方向への抜け出しの規制された状態に嵌合され、且つ、長手方向で対向した両端縁には前記側面部材の半径方向外側へ突出され雌雄の関係で結合される一対のフランジ部が設けられ、各フランジ部は前記半径方向及び前記幅方向に沿った第１面部と、前記外周縁及び前記幅方向に沿った第２面部とを具備している。そして、各フランジ部の第１面部同士の間と、第２面部同士の間との双方にパッキンが密状に介在された状態で、前記一対のフランジ部に跨るようにクリップ部材が外嵌されることにより、ドラムフィルタ装置に装着される。
【０００９】
本発明に係るドラムフィルタ装置におけるフィルタ面部材の交換方法は、ドラムフィルタ装置におけるフィルタ面部材を交換するさい、前記周方向一定範囲箇所を取り外した状態とし、既に前記環状嵌合溝内に嵌合されている使用済みのフィルタ面部材の何れか一方のフランジ部と、次に使用されるフィルタ面部材のフランジ部のうち前記一方のフランジ部と雌雄の関係をなす１つのフランジ部とを、クリップ部材を介して正対状に結合させ、その後、前記使用済みのフィルタ面部材を前記環状嵌合溝内から前記長手方向に沿って引き出すように実施することを特徴とするものである。
【発明の効果】
【００１０】
上記した本発明によれば、ドラムフィルタ装置の外周面部の面積に対するフィルタ面部材の有効濾過面の面積の割合を従来よりも大きくなして濾過処理効率を向上させることができるのであり、また単一のフィルタ面部材のうちその幅方向で対向した両端部が一対の環状嵌合溝内に嵌合されることで装着状態となされるため、従来に較べて、フィルタ面部材を装着するための構造が簡易になると共にフィルタ面部材の脱着処理が簡易迅速に行えるようになる。
【００１１】
さらには、側面部材の外周縁長さやフィルタ面部材の長手方向寸法の誤差やフィルタ面部材の長期使用による伸縮変形による寸法誤差が生じたときにも、間隔調整部材の厚さを大小に変化させることにより、フィルタ面部材の幅方向で対向した両端縁は側面部材の環状嵌合溝に正確に適合した密状に嵌合されるのであり、この結果、側面部材上におけるフィルタ面部材のシール性が確保され、予定された濾過性能が確保されるものとなる。
【発明を実施するための最良の形態】
【００１２】
以下、本発明の実施の形態を図面を参照して説明する。
図１は本発明に係るドラムフィルタ装置を具備した濾過分別取出装置の概要を示す斜視説明図である。
【００１３】
１は基台を兼用した方形容器である。該方形容器１の内方には該容器１内を３つの区画１Ａ、１Ｂ、１Ｃに仕切る左右一対の起立仕切板２ａ、２ｂが前後方向ａに沿って固設されている。一対の起立仕切板２ａ、２ｂの前部には中央の区画１Ａを前方へ液密状に延長した前上がり状の傾斜案内路３が形成されており、該傾斜案内経路３は各起立仕切板２ａ、２ｂの前部下縁を傾斜状の平板４で結合している。このさい、区画１Ａは単独の液密状容器あるが、区画１Ｂ及び区画１Ｃは傾斜案内経路３の最下部前側箇所ｂ１で連通している。
【００１４】
方形容器１内の各起立仕切板２ａ、２ｂの前後方向ａの中央部ｃ１、ｃ２間に本実施例に係るドラムフィルタ装置５が左右向き中心軸をなす固定状支持管６を介して回転可能に装設されている。そしてドラムフィルタ装置５が起立支持板２ｂに正対した箇所であって固定状支持管６よりも下方側となる箇所には略半円状の透孔ｄ２が形成されている。
【００１５】
次にドラムフィルタ装置５の詳細について図２乃至図５をも参照して説明する。
図２及び図３はドラムフィルタ装置５の斜視図及び縦断面図、図４はドラムフィルタ装置５の一部材を示す側面図、図５はドラムフィルタ装置５の一部を示す断面図である。
【００１６】
ドラムフィルタ装置５は側面視円形状の左右対向した側面部材７ａ、７ｂと、これら側面部材７ａ、７ｂの外周縁の全周囲箇所間に装着されたフィルタ面部材８とからなっている。側面部材７ｂはスプロケット部材９ｂを備えており、一方、側面部材７ａはスプロケット部材９ｂの歯の底の位置に対応する半径を持つ円板状部材９ａを有している。側面部材７ａ、ｂの両者にスプロケットを設けないのは、コスト低減の目的であり、両者をスプロケット部材としても良いものである。側面部材７ａ、７ｂの中心位置には、固定状支持管６を内挿される段付円筒形状のベアリングハウジング１０ａ、１０ｂが固設されると共に、側面部材７ａ、７ｂの内側面にベアリングハウジング１０ａ、１０ｂと同心状に形成された外周縁ｅ１、ｅ１を有する環状部材１１ａ、１１ｂが固設されるほか、側面部材７ａ、７ｂの外側面には環状シール部１２ａ、１２ｂがベアリングハウジング１０ａ、１０ｂと同心状に固設されている。
【００１７】
スプロケット部材９ｂは図４に示すように外周囲に一定ピッチで噛合歯ｆ１を形成された外側リング部ｆ２とベアリングハウジング１０ｂを固設された内側リング部ｆ３とは複数のアーム部ｆ４で結合されており、外側リング部ｆ２と内側リング部ｆ３との間において、クーラントを通す貫通孔としている。ベアリングハウジング１０ｂは内孔の左右方向中央にボールベアリング１３を嵌着されると共に該ボールベアリング１３の左右両側にオイルシール１４ｂを嵌着されている。ボールベアリング１３は固定状支持管６に外嵌されてドラムフィルタ装置５を回転可能とするものであり、またオイルシール１４ｂはベアリングハウジング１０ｂ内にクーラントが侵入するのを防止するものである。
【００１８】
円板状部材９ａはスプロケット部材９ｂと異なり、噛合歯ｆ１が存在せず、また、クーラントを通す貫通孔も存在しない。図３に示すように、ベアリングハウジング１０aは内孔の左右方向中央にボールベアリング１３を嵌着されると共に該ボールベアリング１３の左右両側にオイルシール１４ａを嵌着されている。
【００１９】
環状部材１１ａ、１１ｂは図５に示すように環状本体部ｇ１と、これの基礎外周面ｇ２の全周囲範囲を覆うように環状に配列される２つ乃至４つの円弧状帯板ｇ３と、各円弧状帯板ｇ３を環状本体部ｇ１に固定させるためのネジ部材ｇ４とからなっている。各環状部材１１ａ、１１ｂの外周縁には環状本体部ｇ１及び円弧状帯板ｇ３で囲まれ内側面に環状に開口されている環状嵌合溝ｇ５が形成されている。本実施例においては、２枚の円弧状帯板ｇ３が装着されており、１枚は１２０度の範囲で環状本体部ｇ１をカバーし、他の一枚は２４０度の範囲で環状本体部ｇ１をカバーすることにより、３６０度全周を覆っている。
【００２０】
図５に、各環状嵌合溝ｇ５の詳細を示す。各環状本体部ｇ１は、その基礎外周面ｇ２にこれよりも小径となされた第１溝用外周面ｇ６、該第１溝用外周面ｇ６に連続してこれよりもさらに小径となされた第２溝用外周面ｇ７を有する。これら第１溝用外周面ｇ６及び第２溝用外周面ｇ７の径方向外側を覆うように円弧状帯板ｇ３を基礎外周面ｇ２にネジ部材ｇ４を介して固定する。これにより、環状嵌合溝ｇ５は、挿入溝部ｇ５１と係止溝部ｇ５２とを具備する。
【００２１】
円弧状帯板ｇ３は、１２０度の１枚を環状本体部ｇ１から取り外すことで、環状嵌合溝ｇ５の半径方向外側の壁面部の周方向一定範囲箇所が脱着可能となる。４枚の円弧状帯板ｇ３で、環状本体部ｇ１を取り囲んでいるときには、１枚を取り外すことで、環状嵌合溝ｇ５は固定状支持管６を中心とした９０度範囲で半径方向外側の壁面部が取り外されて開放され、３枚の円弧状帯板ｇ３のときには、１２０度の該開放範囲の端部に周方向へ向かう開口が形成された状態となる。いずれにしても、取り外す円弧状帯板ｇ３は、１８０度よりも小さい角度としている。この理由は後で述べる。
【００２２】
各環状シール部１２ａ、１２ｂは側面部材７ａ、７ｂの外側面にこれと同心状に固定された支持環部材ｈ１と、これの外周面に外嵌状に固定されたゴム材又は合成樹脂材などからなる環状弾性部材ｈ２とからなっている。環状弾性部材ｈ２は支持環部材ｈ１に止着された基礎部ｈ２０を具備し、該基礎部ｈ２０から舌状部ｈ２１が斜め外方へ突出している。
【００２３】
次にフィルタ面部材８について説明する。図６はフィルタ面部材８を示す図、図７はフィルタ面部材８の一部を示す断面図、図８はフィルタ面部材８の斜視部である。
フィルタ面部材８は、全体がプラスチックなどの合成樹脂材で射出成形された方形薄厚濾過体であり、幅方向ｊ１で対向した一対の端縁８ａ、８ｂが肉厚とされて左右の側面部材７ａ、７ｂの環状嵌合溝ｇ５内に嵌合ように形成されている。長手方向ｊ２で対向した一対の端縁８ｃ、８ｄが肉厚とされていてこれら端縁８ｃ、８ｄに雌雄の関係となるフランジ部８ｅ、８ｆが張出状に形成されている。長手方向ｊ２の一定間隔毎に幅方向ｊ１の梁部８ｇが形成され且つ幅方向ｊ１の一定間隔毎の位置にも長手方向ｊ２の梁部８ｈを形成して各端縁を結び、端縁で囲まれた領域を複数区画に分割して全体の剛性を増大させている。該フィルタ面部材８において四周囲の端縁８ａ、８ｂ、８ｃ、８ｄと梁部８ｇ、８ｈを除いた箇所が濾過目を有する有効濾過面８ｉである。このさい、図８に示すように梁部８ｇと梁部８ｈの交叉結合箇所や、梁部８ｇ、８ｈと有効濾過面８ｉとの結合箇所は、形状の不連続点が形成されないように円弧面８ｊで円滑に連続されている。有効濾過面８ｉを構成する縦横の編み目は、長手方向ｊ２及び幅方向ｊ１に夫々平行である。
【００２４】
フィルタ面部材８の各部について説明すると、幅方向ｊ１で対向した左右の端縁８ａ、８ｂは対称構造である。図７Ａを参照して代表的に右側の端縁８ｂを説明すると、環状嵌合溝ｇ５の挿入溝部ｇ５１に嵌挿される挿入面部ｋ１と、これの先端に形成されていて環状嵌合溝ｇ５の係止溝部ｇ５２に嵌合される係止突条部ｋ２とを備えるほか、係止突条部ｋ１の外側面の長手方向ｊ２の略全長箇所に図７Ａ中の上下方向へ自在に塑性変形する突起片ｋ３を形成されている。円弧状帯板ｇ３が外れた部分における係止溝部ｇ５２内に係止突条部ｋ１を押し込んだときに、突起片ｋ３は、側面部材７ａ、７ｂの半径外方へ押し曲げられて半径面部ｇ５３（図５）に弾圧されて、係止突条部ｋ１と環状本体部ｇ１との間をシールする。係止突条部ｋ１は、係止溝部ｇ５２にゆとりを持って係止されるものであるので、係止突条部ｋ１が濾過ドラム内外のシール作用を果たすのである。
【００２５】
長手方向ｊ２で対向した両端縁８ｃ、８ｄのうち一方の端縁８ｃに形成された雄側のフランジ部８ｅは、図７Ｂに示すように、長手方向ｊ２に沿った衝接周方向平面ｋ４を有する雄板部ｋ５と、長手方向ｊ２及び幅方向ｊ１に直交した平面からなる衝接径方向前面ｋ６を具備した本体板部ｋ７とを備えている。そして、他方の端縁８ｄに形成された雌側のフランジ部８ｆは、図７Ｃに示すように、長手方向ｊ２に沿った衝接周方向平面ｋ８を有する雌板部ｋ９と、長手方向ｊ２及び幅方向ｊ１に直交した平面からなる衝接径方向前面ｋ１０を具備した本体板部ｋ１１とを備えている。以後、衝接径方向前面ｋ６、ｋ１０は第１面部と、そして衝接周方向平面ｋ４、ｋ８は第２面部と呼称するものとする。
【００２６】
上記したフィルタ面部材８を、環状部材の外周縁に対して装着する方法を説明する。図９は環状部材ｇ１の外周縁にフィルタ面部材８を巻き付けた状態を示す側面視説明図、図１０は雌雄のフランジ部８ｅ、８ｆを結合した状態を示す断面図である。
【００２７】
フィルタ面部材８の交換は、方形容器１の各区画１Ａ、１Ｂ、１Ｃに懸濁液を充填させたままで行われる。図１１に示すように、懸濁液は固定状支持管６までの水位があり、ドラムフィルタ装置５の半分まで漬かっている状態である。
【００２８】
フィルタ面部材８を左右の側面部材７ａ、７ｂの環状嵌合溝ｇ５、ｇ５に嵌着するさいは、環状本体部ｇ１、ｇ１からネジ部材ｇ４及び円弧状帯板ｇ３を取り外して行う。まず、各側面部材７ａ、７ｂ上の同じ位置に存在した左右各側の１つの円弧状帯板ｇ３を取り外す。円弧状帯板ｇ３は、１２０度範囲で取り外され、懸濁液の水面上に環状嵌合溝ｇ５、ｇ５を周方向へ向けて開口する。
【００２９】
次に使用済みのフィルタ面部材８の一方のフランジ部８ｅと、次に使用されるフィルタ面部材８のフランジ部８ｅ、８ｆのうち前記一方のフランジ部８ｅと雌雄の関係をなす１つのフランジ部８ｆとを、クリップ部材１６を介して正対状に結合させ、その後、使用済みのフィルタ面部材８を環状嵌合溝ｇ５、ｇ５内から長手方向ｊ２に沿って引き出すようにする。これに代えて、使用済みのフィルタ面部材８の他方のフランジ部８ｆに次に使用されるフィルタ面部材８の他方のフランジ部８ｅをクリップ部材１６を介して結合させて前とは逆方へ引き出すようにしてもよい。このようにすれば、次に使用されるフィルタ面部材８が使用済みのフィルタ面部材８により引き移動される
【００３０】
円弧状帯板ｇ３を取り外した際の開口が、１８０度よりも大きいと、懸濁液の水面下に開口の一部が没し、ドラムフィルタ装置５の内部が外部の懸濁液により汚染されることになる。しかしながら、本実施例によれば、フィルタ面部材８を交換している最中においても、ドラムフィルタ装置５の内外はシール状態を維持することができる。方形容器１から懸濁液を抜き取る作業を省くことができるので、装置の停止時間を極めて短くかることができる。
【００３１】
このように巻き付けて適当に緊張されたフィルタ面部材８の雌雄のフランジ部８ｅ、８ｆは、フィルタ面部材８の全長が環状嵌合溝ｇ５のそれに較べて僅かに短いため、少し離間した状態となるが、これらフランジ部８ｅ、８ｇの第１面部ｋ６、ｋ１０同士の間と第２面部ｋ４、ｋ８同士の間とに、間隔調整部材及びシール部材として機能するゴム質材からなる弾性パッキン１５を密状に介在させる。ここにおいて、弾性パッキン１５は側面視Ｌ字形の単一状として、第１面部ｋ６、ｋ１０同士の間と第２面部ｋ４、ｋ８同士の間とに連続して配置するのがよい。
【００３２】
この後、図３及び図１０に示すように、複数のクリップ部材１６を幅方向ｊ１上の複数位置のそれぞれにて雌雄のフランジ部８ｅ、８ｆの本体板部ｋ７、ｋ１１間に外嵌させる。クリップ部材１６はバネ鋼などの金属板を屈曲したもので、一対の開閉操作部１６ａ、１６ａ、一対の押圧部１６ｂ、１６ｂ、及び、これら押圧部１６ｂ、１６ｂを結合した結合部１６ｃを具備している。これにより、各押圧部１６ｂ、１６ｂがその対応する本体板部ｋ７、ｋ１１の背面の図７に示す凹み部ｍ１、ｍ２に圧接して一対の本体板部ｋ７、ｋ１１を近接させ、弾性パッキン１５を挟圧した状態で一対の本体板部ｋ７、ｋ１１を密状に結合させる。この後、先に取り外した左右の円弧状帯板ｇ３、ｇ３を元の状態に固定させる。円弧状帯板ｇ３は雌雄のフランジ部８ｅ、８ｆの第２面部ｋ４、ｋ８同士を近接させるように押圧するため、雄板部ｋ５と雌板部ｋ９とは特に幅方向ｊ１の各端部８ａ、８ｂ近傍において弾性パッキン１５を挟圧する状態の密状に衝接されると共に、弾性パッキン１５と突起片ｋ３とが共働することにより左右の側面部材７ａ、７ｂとフィルタ面部材８との接合箇所のシール性が良好に保持される。
【００３３】
図１２に、他の実施形態におけるフィルタ面部材を示す。図１２Ａのフィルタ面部材は、図６の有効濾過面８ｉの編み目の方向を変更したものであり、他の構成は同じである。相違は、梁部８ｇ、８ｈの延在方向に対して縦或いは横の編み目が交差するような方向の編み目とした有効濾過面８kを有している点である。図６のフィルタ面部材の縦横の編み目は長手方向ｊ２及び幅方向ｊ１に夫々平行であって、梁部８ｇ、８ｈの方向と一致しているため、縦方向或いは横方向に折れ曲がりやすいものである。一方、図１２Ａに示したフィルタ面部材によれば、有効濾過面８ｉの編み目が梁部８ｇ、８ｈの方向と交差するものとなっているため、有効濾過面８ｉの編み目を強度向上に寄与させることができる。
【００３４】
図１２Bのフィルタ面部材は、隣同士の端縁（例えば８ａ、８ｂ）に対して、交差する方向に延在して接続する梁部８ｍ、８ｎを設けて合成を高めたものである。梁部８ｍ、８ｎ同士もその延在方向は互いに交差している。このフィルタ面部材においては、有効濾過面８ｉを構成する縦横の編み目は、長手方向ｊ２及び幅方向ｊ１に夫々平行となっていて、梁部８ｍ、８ｎの延在方向と交差する方向となっている。有効濾過面８ｉを構成する網は縦横いずれかの編み目の方向に平行なロール材料から裁断される。このフィルタ面部材は、図１２Ａのもののように網の目による剛性を求める必要が無いため、端縁８ａ、８ｂ、８ｃ、８ｄの方向とを一致させて、製造し易くしている。
【００３５】
図１２Ｃのフィルタ面部材は、端縁で囲まれた領域をハニカム構造の区画に分割して合成を高めたものである。有効濾過面８ｊを構成する縦横の編み目は、長手方向ｊ２及び幅方向ｊ１に夫々平行となっている。上記図１２に示したフィルタ面部材は、いずれも有効濾過面を構成する網に対してプラスチックなどの合成樹脂材で射出成形して端縁および梁部を一体成型された方形薄厚濾過体である。
【００３６】
次にドラムフィルタ装置の周辺構造について図１−３などを参照して説明する。
固定状支持管６は左右の端部に結合用フランジ部材１７ａ、１７ｂ（図３）を固着されている。一方、左右の起立仕切板２ａ、２ｂ（図１）の固定状支持管６装着位置には該支持管６を脱着するための縦溝ｎ１が形成されており、固定状支持管６はこれら縦溝ｎ１、ｎ１を通じて配置され結合用フランジ部材１７ａ、１７ｂをその対応する起立仕切板２ａ、２ｂにボルトで固定されている。起立仕切板２ａ、２ｂの内面には円板１８ａ、ｂが固定状支持管６に外嵌されている。起立仕切板２ｂの透孔ｄ２と円板１８ｂの透孔ｄ４とは連通状態とされる。左右の環状弾性部材ｈ２、ｈ２の舌状部ｈ２１、ｈ２１のそれぞれはその対応する側の円板１８ａ、１８ｂの内側面の径方向外側となる環状箇所に適当圧力で当接されていて、区画１Ａ内に貯留された被処理液をシールする。
【００３７】
固定状支持管６は、長さ途中に２つの液噴射ノズル１９ａ、１９ｂが設けられると共に左端開口６ａに図示しない送液手段を介して側方の区画１Ｂ内に貯留された浄化液が供給されている。固定状支持管６の右端が閉鎖状態であり、内方に供給された液を２つの液噴射ノズル１９ａ、１９ｂから噴射させてフィルタ面部材８の内面に吹き当てる。
【００３８】
区画１Ａ内のうちドラムフィルタ装置５よりも手前側となる範囲内には被処理物投入領域ｐ１が設定されている。該被処理物投入領域ｐ１に投入された被処理液に混入した固形物は固形物搬送手段により区画１Ａ内の水平な底面上及び傾斜案内路４を経て方形容器１の前側へ落下する。
【００３９】
固形物搬送手段は、区画１Ａ内の最も手前側の左右箇所に回転可能に支持された水平回転軸２０に固定された一対の案内スプロケット２１、２１を設けると共に、傾斜案内経路４内の最も前側の左右箇所にも回転可能に支持された水平駆動軸２２に固定された駆動スプロケット２３、２３を設け、左右各側のこれら案内スプロケット２１と駆動スプロケット２３に無端状チェーン２４を掛け回し、左右の無端状チェーン２４、２４の前後方向一定ピッチ箇所に掻き上げ板２７を固定させた構成である。これら無端状チェーン２４、２４の曲がり箇所には、チェーン案内部材２５、２６を起立仕切板２ａ、２ｂを介して固設し、ドラムフィルター装置５の上面側に各無端状チェーン２４、２４を案内している。ドラムフィルター装置５の上面側に案内された無端状チェーン２４の上張り部のうち、右側の無端状チェーン２４はスプロケット部材９ｂの上部に噛合させ、左側の無端状チェーン２４は、ドラムフィルター装置５の円板状部材９ａの上を滑るものとなっている。
【００４０】
駆動スプロケット２３、２３が図示しない駆動装置で回転駆動されることにより、無端状チェーン２４、２４の下張り部が前方へ移動され、掻き上げ板２７が無端状チェーン２４、２４と同体状に移動されると共に右側の無端状チェーン２４に連動してドラムフィルタ装置５が固定状支持管６回りの一定方向へ回動される。したがって、固形物は被処理物投入領域ｐ１に投入されてそれが一定程度に堆積すると、掻き上げ板２７がこれを水平な底面及び傾斜案内経路４上を掻き移動させ出口３ａから落下させるように機能する。
なお、図１において図示省略したが、左右の起立仕切板２ａ、２ｂの上縁間にはカバー板が設けられる。
【００４１】
上記した濾過分別取出装置は、マシニングセンタなどから排出される切粉及びクーラント（水又は切削油など）からなる懸濁液を処理する場合に使用して有益である。この使用においては、被処理物投入領域ｐ１に切粉及びクーラントが投入され、これにより、被処理物投入領域ｐ１の底面上には比較的密度の大きい切粉が連続的に堆積していき、クーラントや微細切粉の混合された懸濁液は区画１Ａ内のドラムフィルタ装置５の内方を除く全域に貯留される。
【００４２】
その一方では駆動スプロケット２３、２３が回転駆動されるのであり、これにより掻き上げ板２７が区画１Ａ内に堆積した切粉を区画１Ａ内の底面上及び傾斜案内経路４上を掻き移動させて方形容器１の前外方へ落下させると共にドラムフィルタ装置５を固定状支持管６回りへ回動させる。
【００４３】
ドラムフィルタ装置５は回動されながら、フィルタ面部材８の有効濾過面８ｉを介して区画１Ａ内の懸濁液をフィルタ面部材８の内方側へ透過させる。これにより懸濁液中の切粉はフィルタ面部材８の外面側に付着するように取り除かれ、フィルタ面部材８の内方には浄化された状態のクーラントが流入する。こうして流入した浄化クーラントは側面部材７ｂの透孔、円板１８ｂの透孔ｄ４、及び起立仕切板２ｂの透孔ｄ２を通じて区画１Ａ内の懸濁液が混入することなく側方の区画１Ｂ、１Ｃ内に流入し貯留される。
【００４４】
区画１Ｂ、１Ｃ内に貯留した浄化クーラントは再びマシニングセンタなどに供給されて使用される。一方では図示しない送液手段を介して固定状支持管６内に供給され２つの液噴射ノズル１９ａ、１９ｂから噴射される。これら液噴射ノズル１９ａ、１９ｂから噴射された浄化クーラントは回転駆動されるドラムフィルタ装置５のフィルタ面部材８の内面に連続的に吹き当てられる。これにより、フィルタ面部材８の有効濾過面８ｉは区画１Ａ内で懸濁液に浸漬してない状態の下で逆洗され、効果的にその目詰まり物が除去される。したがって、ドラムフィルタ装置５は人為的な洗浄をしなくても長期に亘って計画通りの濾過能力を発揮する。
【００４５】
次に上記実施形態の特徴点について説明する。
ａ：単一のフィルタ面部材８を左右一対の側面部材７ａ、７ｂの外周縁の環状嵌合溝ｇ５、ｇ５の略全長範囲に嵌合させると共にフィルタ面部材８の長手方向ｊ２で対向した両端縁８ｃ、８ｄのそれぞれに設けたフランジ部８ｅ、８ｆ同士を弾性パッキン１５を挟み付けた状態で結合させる構成は、ドラムフィルタ装置５の外周面部に比較的広い有効濾過面８ｉを形成することができて効率的な濾過分離が行えるのであり、また環状嵌合溝ｇ５、ｇ５の側面部材７ａ、７ｂ周方向の全長やフィルタ面部材８の長手方向ｊ２の寸法に製作誤差が生じても弾性パッキン１５の厚さを調整することで環状嵌合溝ｇ５、ｇ５にシール性の損なわれることなくフィルタ面部材８を装着することが可能となる。
【００４６】
ｂ：雌雄のフランジ部８ｅ、８ｆの第１面部ｋ６、ｋ１０同士の間と第２面部ｋ４、ｋ８同士の間とに側面視Ｌ字形となされた単一状の弾性パッキン１５を挟み付けるようにした構成は、左右の側面部材７ａ、７ｂの外周縁の環状嵌合溝ｇ５、ｇ５にフィルタ面部材８を係着した状態において、フィルタ面部材８のフランジ部８ｅ、８ｆ周辺についての側面部材７ａ、７ｂ周方向及び径方向のシール性を確保することができて、ドラムフィルタ装置５におけるフィルタ面部材８を境界とした内外間の有害な液漏れを阻止することができる。
【００４７】
ｃ：フィルタ面部材８の幅方向ｊ１で対向した両端縁８ａ、８ｂのそれぞれの全長箇所に環状嵌合溝ｇ５、ｇ５の内面に圧接される弾性変形可能な突起片ｋ３を設けた構成は、端縁８ａ、８ｂと側面部材７ａ、７ｂの外周縁の嵌合箇所のシール性を確保することができる。
【００４８】
ｄ：フィルタ面部材８の長手方向ｊ２の梁部８ｈと幅方向ｊ１の梁部８ｇの存在は、フィルタ面部材８の剛性を増大させ、ドラムフィルタ装置５の使用中におけるフィルタ面部材８のバタツキを抑制することができる。このさい、梁部８ｇ、８ｈと有効濾過面８ｉとの結合箇所に形状の不連続点ができないように梁部８ｇ、８ｈの高さを幅外側へ向け円弧状に漸減させて梁部８ｇ、８ｈと有効濾過面８ｉとを急激な段差の生じないように結合させると共に長手方向ｊ２の梁部８ｈと幅方向ｊ２の梁部８ｇとの交叉箇所も形状の不連続点ができないように円弧面８ｊを介して結合させるのがよいのであり、これにより梁部８ｇ、８ｈと有効濾過面８ｉとの結合箇所や梁部８ｇ、８ｈ同士の交叉箇所は使用時の振動による疲労破壊を効果的に抑制される。
【００４９】
ｅ：側面部材７ａ、７ｂの外周縁の環状嵌合溝ｇ５、ｇ５の径方向外側の壁面部を複数の円弧状帯板ｇ３をネジ部材ｇ４で固定することにより形成した構成は、ドラムフィルタ装置５が固定状支持管６回りの任意位置にあっても、ドラムフィルタ装置５を大きく回転させないで、１つの円弧状帯板ｇ３を取り外すことができ、この状態の下で、使用済みのフィルタ面部材８を引き抜き、次に使用されるフィルタ面部材８を、側面部材７ａ、７ｂ周方向へ向けて開放された左右の環状嵌合溝ｇ５、ｇ５内に押し込むなどして滑り込ませることで、フィルタ面部材８の交換装着が簡易迅速に行える。
【００５０】
ｆ：ドラムフィルタ装置５の使用済みのフィルタ面部材８を区画内の被処理液を抜き取ることなく簡便に交換することができる。被処理液をそのままの状態とすることは、装置の稼働率を格段に向上させる。また、次に使用されるフィルタ面部材８が使用済みのフィルタ面部材８により引き移動されるため次に使用されるフィルタ面部材８は押し込み操作による場合よりも左右の環状嵌合溝ｇ５、ｇ５内に円滑に嵌合されるものとなる。
【００５１】
上記した実施形態では、ドラムフィルタ装置５は切粉及びクーラントからなる懸濁液の濾過分離に使用されたがこれに限定するものではなく、種々の懸濁液の濾過分離に使用して差し支えないものである。
【図面の簡単な説明】
【００５２】
【図１】本発明に係るドラムフィルタ装置を具備した濾過分別取出装置の概要を示す斜視説明図である。
【図２】上記ドラムフィルタ装置の斜視図である。
【図３】上記ドラムフィルタ装置の断面図である。
【図４】上記ドラムフィルタ装置のスプロケット部材を示す側面図である。
【図５】上記ドラムフィルタ装置の環状部材周辺を示す断面図である。
【図６】上記ドラムフィルタ装置のフィルタ面部材を示しＡは平面図で、Ｂは側面図で、Ｃは正面図である。
【図７】上記フィルタ面部材の各部を示し、Ａは図６のＸ−Ｘ部の断面図で、Ｂは雄側のフランジ部の断面図で、Ｃは雌側のフランジ部の断面図である。
【図８】上記フィルタ面部材の外側表面を示す斜視図である。
【図９】上記ドラムフィルタ装置の側面部材の外周縁にフィルタ面部材を巻き付けた状態を示す側面視説明図である。
【図１０】上記ドラムフィルタ装置の雌雄のフランジ部を結合した状態を示す断面図である。
【図１１】ドラムフィルタ装置のフィルタ面部材を交換する様子を示す側面視説明図である。
【図１２】他のフィルタ面部材を示す図である
【符号の説明】
【００５３】
７ａ  側面部材
７ｂ  側面部材
８  フィルタ面部材
８ａ  幅方向で対向した端縁
８ｂ  幅方向で対向した端縁
８ｃ  長手方向で対向した端縁
８ｄ  長手方向で対向した端縁
８ｅ  フランジ部
８ｆ  フランジ部
１５  間隔調整部材（弾性パッキン）
１６  クリップ部材
ｇ５  環状嵌合溝
ｊ１  幅方向
ｊ２  長手方向
ｋ３  突起片
ｋ４  第２面部
ｋ６  第１面部
ｋ８  第２面部
ｋ１０  第１面部
【図１】
0005149661.tif 000002
【図２】
0005149661.tif 000003
【図３】
0005149661.tif 000004
【図４】
0005149661.tif 000005
【図５】
0005149661.tif 000006
【図６】
0005149661.tif 000007
【図７】
0005149661.tif 000008
【図８】
0005149661.tif 000009
【図９】
0005149661.tif 000010
【図１０】
0005149661.tif 000011
【図１１】
0005149661.tif 000012
【図１２】
0005149661.tif 000013